(57)【特許請求の範囲】
【請求項１】
制御装置が、該制御装置に対応する携帯機との間でエンジン始動のための無線通信を行った場合、前記制御装置が搭載された車両のエンジンの始動を許可するエンジン始動システムに適用される車両用遠隔始動装置であって、
前記制御装置及び前記携帯機の間で行われる無線通信を中継するリモートコントローラ及び車載機を備え、
前記リモートコントローラは、操作スイッチを備え、更には、前記携帯機及び前記車載機と無線通信可能に構成され、前記操作スイッチが操作されると第１の信号を前記車載機に無線送信するように構成され、
前記車載機は、前記リモートコントローラ及び前記制御装置と無線通信可能に構成にされ、更には、前記制御装置に車両内配線を通じて有線方式で信号入力可能な構成にされ、
前記車載機は、前記リモートコントローラから前記第１の信号を無線方式で受信すると、前記車両内の運転者によって操作可能なエンジン始動用のプッシュスイッチが操作されたことを示す信号と等価な信号を、車両内配線を通じて有線方式で第２の信号として前記制御装置に入力し、前記第２の信号に応答して前記制御装置から無線送信される第３の信号を無線方式で受信し、前記第３の信号を前記リモートコントローラへ無線送信し、
前記リモートコントローラは、前記車載機から前記第３の信号を無線方式で受信すると、前記第３の信号を前記携帯機へ無線送信し、前記第３の信号に応答して前記携帯機から無線送信される、暗証コードを含む第４の信号を無線方式で受信し、受信した前記第４の信号を前記車載機へ無線送信し、
前記車載機は、前記リモートコントローラから前記第４の信号を無線方式で受信すると、前記第４の信号を前記制御装置に無線送信し、
前記制御装置は、無線方式で受信した前記暗証コードを含む前記第４の信号と車両内配線を通じて有線方式で入力される車両内のブレーキペダルが踏み込まれていることを示すブレーキ信号とを前記エンジンの始動の許可判断に用いており、
前記車載機は、前記エンジンの始動が許可されるように、前記第４の信号の前記制御装置への無線送信に関連して、前記車両内のブレーキペダルが踏み込まれていることを示すブレーキ信号を車両内配線を通じて有線方式で前記制御装置に入力すると共に、前記プッシュスイッチが操作されたことを示す信号と等価な信号を有線方式で前記制御装置に入力すること
を特徴とする車両用遠隔始動装置。
【発明の詳細な説明】
【技術分野】
【０００１】
本発明は、車両のエンジンを遠隔操作によって始動させる車両用遠隔始動装置に関する。
【背景技術】
【０００２】
従来より、イグニッションキーをキーシリンダに差し込んでエンジンの始動操作をした場合に、キーシリンダ側から送信される電磁波に共振して、イグニッションキー側から暗証コードを無線送信させて、受信した暗証コードと参照コードとを比較して、一致しない場合にはエンジンを始動できないようにした盗難防止手段を備えた車両が知られている。
【０００３】
一方、エンジンを予め暖機運転させたり、エンジンを始動して予めエアコンディショナーを作動させたりするために、無線送信による遠隔操作でエンジンの始動ができるようにした遠隔始動手段が知られている。
【０００４】
しかし、盗難防止手段を備えた車両に、遠隔始動手段を設けようとしても、暗証コードと参照コードとの比較ができないために、遠隔操作ができない。そこで、特許文献１にあるように、キーシリンダから離れた場所にスペアキーを挿入した挿入箱を配置し、挿入箱内にはスペアキーからの暗証コードを受信するキーアンテナを設ける。そして、盗難防止手段用のアンテナに近接して、シリンダアンテナを配置すると共に、キーアンテナとシリンダアンテナとを接続する。盗難防止手段用のアンテナからの電波を、シリンダアンテナ、キーアンテナを介してスペアキーで受信すると、これを電力として、スペアキーが暗証コードをキーアンテナ、シリンダアンテナを介して、盗難防止手段用のアンテナに送信し、エンジンを始動するようにしたものが知られている。
【０００５】
この特許文献１のものでは、スペアキーを挿入箱内に挿入して、車室内におかなければならず、スペアキーをスペアとして使用できなくなり、また、このスペアキーそのものの盗難を防止するために、挿入箱に硬化剤等を封入して盗難防止したり、挿入箱の盗難そのものを防止しなければならないという煩わしさがある。
【０００６】
特許文献２にあるように、切換スイッチを学習側に切り替えているときに、イグニッションキーをキーシリンダに差し込んでエンジンの始動操作をすると、イグニッションキーからの暗証コードを取り込んでＲＯＭに記憶する。切換スイッチを出力側に切り替え、無線送信による遠隔操作によるエンジン始動時に、このＲＯＭに記憶した暗証コードを盗難防止手段に送信して、イグニッションキーがなくても遠隔操作によりエンジンを始動できるようにしたものも提案されている。
【先行技術文献】
【特許文献】
【０００７】
【特許文献１】特開２００３−５４３６７号公報
【特許文献２】特開２００２−７０６２６号公報
【発明の概要】
【発明が解決しようとする課題】
【０００８】
しかしながら、こうした従来の特許文献２にあるものでは、切換スイッチを操作して暗証コードをＲＯＭに記憶させる作業が必要で煩雑であるという問題があった。また、暗証コードを記憶したＲＯＭを車両に搭載していることになるので、セキュリティレベルの低下を招くという問題があった。
【０００９】
本発明の課題は、煩雑な作業をすることなく、また、セキュリティレベルの低下を招くこともない車両用遠隔始動装置を提供することにある。
【課題を解決するための手段】
【００１０】
本発明の車両用遠隔始動装置は、制御装置が、該制御装置に対応する携帯機との間でエンジン始動のための無線通信を行った場合、前記制御装置が搭載された車両のエンジンの始動を許可するエンジン始動システムに適用される車両用遠隔始動装置であって、前記制御装置及び前記携帯機の間で行われる無線通信を中継するリモートコントローラ及び車載機を備え、前記リモートコントローラは、前記携帯機及び前記車載機と無線通信し、前記車載機は、前記リモートコントローラ及び前記制御装置と無線通信する。
【００１１】
本発明の車両用遠隔始動装置を構成するリモートコントローラは、スイッチを備え、スイッチが押下されると、車載機を介して制御装置に対し、制御装置と携帯機との間でエンジン始動のための無線通信を行うよう指示するように構成してもよい。
また、本発明の車両用遠隔始動装置を構成する車載機は、エンジンの始動が許可された後、車両のエンジンを始動させるための始動信号を制御装置に送信するように構成してもよい。
【発明の効果】
【００１２】
本発明の車両用遠隔始動装置は、車載機を車両に搭載すればよく、暗証コードを記憶させる作業等の煩雑な作業をする必要がなく、また、車載機に暗証コードを記憶させることによるキュリティレベルの低下を招くことがないという効果を奏する。
【図面の簡単な説明】
【００１３】
【図１】本発明の一実施形態としての車両用遠隔始動装置を適用した車両の概略構成図である。
【図２】本実施形態の車両用遠隔始動装置の概略構成を示すブロック図である。
【図３】本実施形態の車両用遠隔始動装置のタイミングチャートである。
【発明を実施するための形態】
【００１４】
以下本発明を実施するための形態を図面に基づいて詳細に説明する。図１、図２に示すように、１は車両で、車両１には制御装置２が搭載されている。制御装置２は車両制御部４と照合制御部６とを備えると共に、車両制御部４は電源制御部８とエンジン制御部１０とを備えている。
【００１５】
プッシュスタートボタン１２を押下することにより車両制御部４にエンジン始動信号ＳＳＷ２が入力されると、後述する暗証コードの照合に基づいて、電源制御部８が必要とする各種装置の電源を投入すると共に、エンジン制御部１０が図示しないスタータモータを駆動してエンジン１４を始動する。エンジンが始動されると、エンジン制御部１０はエンジン１４への燃料噴射量や点火時期等を制御する。
【００１６】
照合制御部６はイモビライザ機能を有し、車両１の運転者によって所持される携帯機１６と照合制御部６との間で相互無線通信可能となっている。即ち、照合制御部６は無線送受信部１８、トランスポンダ部２０、予め設定された参照コードを記憶した記憶部２２を備えている。携帯機１６は無線送受信部２４、トランスポンダ部２６、予め設定された暗証コードを記憶した記憶部２８を備えている。
【００１７】
照合制御部６の無線送受信部１８からリクエスト信号が送信され、携帯機１６の無線送受信部２４がこのリクエスト信号を受信すると、記憶部２８に予め設定された固有の暗証コードを含む暗証コード信号を無線送信する。
【００１８】
照合制御部６の無線送受信部１８は暗証コードを含む暗証コード信号が入力されたときには、記憶部２２に予め設定された参照コードと暗証コード信号に含まれる暗証コードとの照合を行う。そして、参照コードと暗証コードとが一致したときに、照合制御部６は車両制御部４に、エンジン始動許可信号を出力するように構成されている。
【００１９】
一方、携帯機１６の図示しない電池切れが生じた場合には、照合制御部６のトランスポンダ部２０からトランスポンダ駆動信号が送信され、携帯機１６のトランスポンダ部２６がこのトランスポンダ駆動信号を受信すると、その電波によって誘導された起電力によって駆動する。携帯機１６は暗証コードを含む暗証コード信号を送信し、照合制御部６は暗証コード信号が入力されたときには、記憶部２２に予め設定された参照コードと暗証コード信号に含まれる暗証コードとの照合を行う。そして、参照コードと暗証コードとが一致したときに、照合制御部６は車両制御部４に、エンジン始動許可信号を出力するように構成されている。
【００２０】
そして、図示しないブレーキペダルが踏み込まれている状態で、プッシュスタートボタン１２が押下されると、エンジン制御部１０が図示しないスタータモータを駆動してエンジン１４を始動する。
【００２１】
本実施形態では、更に、車両１には車載機３０が搭載されており、車載機３０は無線送受信部３２を備えている。車載機３０の無線送受信部３２は照合制御部６の無線送受信部１８との間で無線通信可能であると共に、リモートコントローラ３４（以下、リモコン３４という。）の無線送受信部３６との間でも無線通信可能に構成されている。また、車載機３０は、車両制御部４にエンジン始動信号ＳＳＷ２とブレーキペダルが踏み込まれている際のブレーキ信号を出力できるように、車両制御部４と有線で接続されている。
【００２２】
リモコン３４はスタートボタン３７が押下されると無線送受信部３６からリモコン始動信号を無線送信し、車載機３０はこのリモコン始動信号を無線送受信部３２で受信すると、車両制御部４にエンジン始動信号ＳＳＷ２を出力する。また、車載機３０の無線送受信部３２は、照合制御部６の無線送受信部１８からのリクエスト信号を受信して、このリクエスト信号を増幅して無線送受信部３２から無線送信するように構成されている。
【００２３】
リモコン３４は更にトランスポンダ部３８を備え、前述したと同様に、リモコン３４のトランスポンダ部３８と、携帯機１６のトランスポンダ部２６との間で、リクエスト信号や暗証コード信号を送受信できるように構成されている。
【００２４】
リモコン３４の無線送受信部３６は、このリクエスト信号を受信すると、受信したリクエスト信号を携帯機１６の無線送受信部２４に送信する。携帯機１６の無線送受信部２４はリクエスト信号を受信すると、記憶部２８に予め設定された固有の暗証コードを含む暗証コード信号を無線送信する。そして、リモコン３４の無線送受信部３６は、携帯機１６からの暗証コード信号を受信して、暗証コード信号を増幅して再び無線送受信部３６から車載機３０に無線送信するように構成されている。
【００２５】
車載機３０の無線送受信部３２は、この暗証コード信号を受信して、無線送受信部３２あるいはトランスポンダ部３５から、照合制御部６の無線送受信部１８あるいはトランスポンダ部２０に送信するように構成されている。
【００２６】
次に、前述した本実施形態の車両用遠隔始動装置の作動について図３のタイミングチャートと共に説明する。
まず、車両１の運転者が携帯機１６を携帯して、車両１から離れた位置でリモコン３４を操作して、リモコン３４からリモコン始動信号を無線送信させる（図３−ａ）。これにより、車載機３０の無線送受信部３２は、このリモコン始動信号を受信すると、車両制御部４にエンジン始動信号ＳＳＷ２を出力する（図３−ｂ）。
【００２７】
車両制御部４はエンジン始動信号ＳＳＷ２を受けて、照合制御部６にエンジン始動許可の問い合わせをし、照合制御部６は無線送受信部１８からリクエスト信号を送信する（図３−ｃ）。
【００２８】
車載機３０はこのリクエスト信号を無線送受信部３２で受信すると、リクエスト信号を増幅してリモコン３４に転送する（図３−ｄ）。尚、照合制御部６から車載機３０へのリクエスト信号の送信は、無線に限らず、有線により送信するようにしてもよい。
【００２９】
リモコン３４の無線送受信部３６はリクエスト信号を受信すると、このリクエスト信号を携帯機１６の無線送受信部２４に転送する（図３−ｅ）。あるいは、リモコン３４のトランスポンダ部３８から携帯機１６のトランスポンダ部２６にトランスポンダ駆動信号を送信してもよい。
【００３０】
携帯機１６はリクエスト信号を受信すると、暗証コードを含む暗証コード信号を無線送受信部２４あるいはトランスポンダ部２６から送信する（図３−ｆ）。リモコン３４はこの暗証コード信号を受信すると、暗証コード信号を増幅して無線送受信部３６から無線送信する（図３−ｇ）。
【００３１】
車載機３０はこの暗証コード信号を受信すると、暗証コード信号を無線送受信部３２あるいはトランスポンダ部３５から照合制御部６の無線送受信部１８あるいはトランスポンダ部２０に送信する（図３−ｈ）。照合制御部６は暗証コード信号を受信すると、参照コードと暗証コードとの照合を行う。参照コードと暗証コードとが一致したときに、照合制御部６は車両制御部４に、エンジン始動許可信号を出力する。
【００３２】
また、車載機３０はエンジン始動信号ＳＳＷ２とブレーキ信号とを車両制御部４に送信し（図３−ｉ，ｊ）、車両制御部４は、照合制御部６からのエンジン始動許可信号と、車載機３０からのエンジン始動信号ＳＳＷ２とブレーキ信号とを受けて、エンジン１４を始動する。
【００３３】
このように、車載機３０を車両１に搭載すればよく、暗証コードを車載機３０に記憶させる作業等の煩雑な作業をする必要がなく、また、車載機３０に暗証コードを記憶させることによるセキュリティレベルの低下を招くことがない。
【００３４】
以上本発明はこの様な実施形態に何等限定されるものではなく、本発明の要旨を逸脱しない範囲において種々なる態様で実施し得る。
【符号の説明】
【００３５】
１…車両      ２…制御装置
４…車両制御部    ６…照合制御部
８…電源制御部    １０…エンジン制御部
１２…プッシュスタートボタン
１４… エンジン    １６…携帯機
１８，２４，３２，３６…無線送受信部
２０，２６，３５，３８…トランスポンダ部
２２，２８…記憶部    ３０…車載機
３４…リモートコントローラ（リモコン）
３７…スタートボタン
【図１】
0006289537.tif 000002
【図２】
0006289537.tif 000003
【図３】
0006289537.tif 000004